(57)【要約】【課題】除霜水の逆流を防止する。【解決手段】貯蔵庫１０は、冷却器２２から流下した除霜水を回収し、該除霜水を箱体１２に設けられた排水路３２に排水部３０を介して排出する冷却ダクト２４を備えている。排水部３０は、排水路３２の開口断面より小さく形成されると共に、収納室１８側から排水路３２に挿入され、除霜水が流通する排水流通部７２と、この排水流通部７２の下面より下方へ延出するように形成され、該排水流通部７２を排水路３２の内底面から離間するように位置規制する規制片７４とを備えている。【選択図】図５
2014156999.tif 000002
【特許請求の範囲】
【請求項１】
箱体(12)に画成された内部空間に配設された冷却器(22)と、前記内部空間において冷却器(22)の下側に配設され、該冷却器(22)から流下した水を回収し、該水を箱体(12)に設けられた排水路(32)に排水部(30)を介して排出するドレンパン(24)とを備えた貯蔵庫において、
前記排水部(30)は、
前記排水路(32)の開口断面より小さく形成されると共に、前記内部空間側から該排水路(32)に挿入され、前記水が流通する排水流通部(72)と、
前記排水流通部(72)の下面より下方へ延出するように形成され、該排水流通部(72)を前記排水路(32)の内底面から離間するように位置規制する規制片(74)とを備えた
ことを特徴とする貯蔵庫。  
【請求項２】
前記規制片(74)の下縁は、前記排水路(32)の内底面に沿って形成され、該規制片(74)により前記排水流通部(72)の下面と排水路(32)との間を塞ぐよう構成された請求項１記載の貯蔵庫。
【発明の詳細な説明】
【技術分野】
【０００１】
この発明は、物品を冷蔵または冷凍保存する貯蔵庫に関するものである。
【背景技術】
【０００２】
食料品店やコンビニエンスストア等の店舗では、食品や飲料品等の物品を冷蔵または冷凍保存するショーケースなどの貯蔵庫が用いられている(例えば、特許文献１参照)。貯蔵庫には、断熱箱体の内部に、物品の収納室が画成され、断熱箱体の下側に圧縮器や凝縮器等から構成される冷凍機が設置される機械室が設けられる。また、貯蔵庫には、断熱箱体の内部上側に、冷凍機を構成する冷却器が配設される冷却室が冷却ダクトによって画成される。収納室と冷却室とは、冷却室の前側に形成された吸込口および冷却室の後側に形成された吹出口を介して連通し、吸込口に対応して冷却室に配設された冷却ファンによって、吸込口を介して収納室内の空気が冷却室に取り込まれる。そして、冷却器で冷却された冷却室の空気が、吹出口を介して冷却室から収納室に送り出され、収納室と冷却室との間で空気が循環することで、収納室内が低温に保たれるようになっている。
【０００３】
前記貯蔵庫は、冷却器に霜が付着して熱交換効率が悪くなるので、冷却器をヒータで加熱したり、冷却器にホットガスを循環することで、霜を除去する除霜運転が適宜のタイミングで行われる。除霜運転では、霜が融けて生じた水(除霜水)が冷却器から、この冷却器の下側に延在する冷却ダクトに流下し、冷却ダクトに回収された除霜水が該冷却ダクトの後部に設けられた排水部を介して断熱箱体の背面壁に設けられた排水路に排出される。すなわち、冷却ダクトは、除霜水を回収して排出するドレンパンとしての機能も有しており、冷却器の下側に延在する底部が、前から後へ向かうにつれて下方傾斜するように形成されて、該底部の傾斜によって傾斜下端中央部に配置された排水部に除霜水を誘導するようになっている。
【先行技術文献】
【特許文献】
【０００４】
【特許文献１】特開２００７−３１５７１５号公報
【発明の概要】
【発明が解決しようとする課題】
【０００５】
前記排水部は、冷却ダクトの後端より後方へ突出するように形成され、その後端部が排水路に挿入される。排水部は、冷却ダクトの取り付けおよび取り外しを考慮して、排水路よりも小径に形成されて、また排水路に挿入する寸法を大きく確保することができない。このため、冷却ダクトの取り付け誤差等によっては、排水部の下面が排水路の内底面に接した状態になることがあり、この場合に除霜水の量が多いと、排水部の下面と排水路の内底面との間から表面表力によって除霜水が収納室に逆流することがある。
【０００６】
すなわち本発明は、従来の技術に係る貯蔵庫に内在する前記問題に鑑み、これらを好適に解決するべく提案されたものであって、排水部から排水路に排出した水の逆流を防止し得る冷却ダクトを備えた貯蔵庫を提供することを目的とする。
【課題を解決するための手段】
【０００７】
前記課題を克服し、所期の目的を達成するため、本願の請求項１に係る発明の貯蔵庫は、
箱体に画成された内部空間に配設された冷却器と、前記内部空間において冷却器の下側に配設され、該冷却器から流下した水を回収し、該水を箱体に設けられた排水路に排水部を介して排出するドレンパンとを備えた貯蔵庫において、
前記排水部は、
前記排水路の開口断面より小さく形成されると共に、前記内部空間側から該排水路に挿入され、前記水が流通する排水流通部と、
前記排水流通部の下面より下方へ延出するように形成され、該排水流通部を前記排水路の内底面から離間するように位置規制する規制片とを備えたことを要旨とする。  
請求項１に係る発明によれば、水が流れる排水流通部を規制片によって排水路から離すことができるので、排水部から排水路に排出した水の逆流を防止し得る。
【０００８】
請求項２に係る発明では、前記規制片の下縁は、前記排水路の内底面に沿って形成され、該規制片により前記排水流通部の下面と排水路との間を塞ぐよう構成されたことを要旨とする。
請求項２に係る発明によれば、規制片によって排水流通部と排水路との間を塞ぐことができるので、排水路からの逆流をより適切に防止し得る。
【発明の効果】
【０００９】
本発明に係る貯蔵庫によれば、排水部に設けた規制片によって、排水部から排水路に排出した水の逆流を防止し得る。
【図面の簡単な説明】
【００１０】
【図１】本発明の好適な実施例に係る貯蔵庫を示す正面図である。
【図２】実施例の冷却室を後斜め上方から見た概略斜視図である。
【図３】図２のＡ−Ａ線で破断した概略断面図であり、冷却ダクトを仮想線で示している。
【図４】図２のＢ−Ｂ線で破断した概略断面図である。
【図５】図２のＣ−Ｃ線で破断した概略断面図である。
【図６】実施例の冷却ダクト、ファンダクト、冷却器および支持部材を取り付けた状態を前斜め上方から見た概略斜視図である。
【図７】(ａ)は、実施例の冷却器および支持部材を取り付けた状態を前斜め上方から見た概略斜視図であり、(ｂ)は、実施例の冷却器および支持部材を取り付けた状態を斜め下方から見た概略説明図である。
【図８】(ａ)は、実施例のファンダクト、冷却器および支持部材を取り付けた状態を前斜め上方から見た概略斜視図であり、(ｂ)は、実施例のファンダクト、冷却器および支持部材を取り付けた状態を斜め下方から見た概略説明図である。
【図９】図６のＤ−Ｄ線で破断した概略断面図である
【図１０】図５のＥ−Ｅ線で破断した概略断面図である。
【図１１】実施例の支持部材を示す概略斜視図である。
【図１２】実施例のファンダクトを示す概略斜視図である。
【図１３】実施例の冷却ダクトを示す概略平面図である。
【図１４】図１３のＦ−Ｆ線で破断した概略断面図であり、排水ガイドの図示を省略している。
【図１５】実施例の冷却ダクトを示す概略斜視図であり、排水ガイドの図示を省略している。
【図１６】実施例のファンカバーを示す概略底面図である。
【図１７】図５のＥ−Ｅ線に対応した位置で破断した変更例の排水部を示す概略断面図である。
【発明を実施するための形態】
【００１１】
次に、本発明に係る貯蔵庫につき、好適な実施例を挙げて、添付図面を参照して以下に説明する。
【実施例】
【００１２】
図１に示すように、実施例に係る貯蔵庫１０は、外板と内板の間にウレタンフォーム等の断熱材を充填して構成され、前方に開口した内部空間を備える矩形状の箱体１２と、この箱体１２の下側に設けられ、該箱体１２を支える筐体１３とを備える。貯蔵庫１０は、箱体１２の前面に開口した箱体開口部(開口部)１２ａの上部に取り付けられたフロントパネル１４の下縁に設けられた上レール１５と、箱体開口部１２ａの下縁に設けられた下レール１６とによりスライド可能に支持された２枚の扉１７,１７によって、箱体開口部１２ａを開閉可能に構成される。そして、貯蔵庫１０は、扉１７を開放して、箱体開口部１２ａを介して内部空間に画成される収納室１８に対して物品が出し入れされる。なお、実施例では、扉１７としてガラス扉が用いられており、実施例の貯蔵庫１０は、収納室１８に収納された物品を外から視認できるショーケースとも呼ばれるものである。また、貯蔵庫１０は、筐体１３の内部に画成された機械室１３ａに、圧縮機や凝縮器などの冷凍機を構成する機器(何れも図示せず)が配設され、箱体１２の内部空間に画成される冷却室２０に配設される冷却器２２との間に、冷媒を循環させる蒸気圧縮式の冷凍回路が構成されている。なお、機械室１３ａには、冷凍機の制御を担う電装箱(図示せず)なども配設される。
【００１３】
図４および図５に示すように、箱体１２は、内部空間におけるフロントパネル１４の後側に配設された冷却ダクト２４によって、該内部空間が冷却室２０とこの冷却室２０の下側の収納室１８とに上下に区分される。冷却室２０には、前記冷凍機を構成して、該冷凍機の通常運転により空気を冷却する冷却器２２と、収納室１８および冷却室２０の間で空気を循環させる冷却ファンＦＭと、冷却室２０の温度を検知する温度検知手段ＴＨ(図３参照)とが配設される。冷却器２２には、機械室１３ａに設置された冷凍機の構成機器との間で、冷媒管２３を介して冷媒が循環される。冷媒管２３は、箱体開口部１２ａの左右方向中央部に上下に延在するように配設された棚柱２１に収容されて(図５参照)、収納室１８を通って機械室１３ａと冷却室２０との間で取り回される。図４に示すように、冷却室２０には、前側に収納室１８から冷却室２０に空気を取り込む流入口２５が設けられると共に、この流入口２５から該流入口２５との間に冷却器２２を挟んで後側に離間して、冷却室２０から収納室１８へ空気を送り出す流出口２６が設けられる。冷却ファンＦＭは、冷却室２０の内部に収容配置されたファンダクト(設置部材)２８に支持され(図６および図８参照)、冷却室２０の内側から流入口２５に整合するように配置される(図４参照)。そして、貯蔵庫１０は、冷却ファンＦＭの作動により流入口２５を介して収納室１８から取り込んだ空気を、前から後に向けて流通させて、冷却器２２で冷却された空気を流出口２６から収納室１８へ送り出すことで、収納室１８の温度を調節するようになっている。なお、実施例では、冷却ダクト２４の底部前側に、流入口２５が左右に並べて２箇所設けられ、各流入口２５に対応して冷却ファンＦＭが設置されている。
【００１４】
前記貯蔵庫１０では、冷却器２２を加熱することで該冷却器２２に付着した霜を除去する除霜運転が適宜タイミングで行われ、除霜運転では温度検知手段ＴＨで検知した温度によって除霜の完了を判定している。実施例では、除霜運転において、圧縮機を停止して冷却器２２による空気の冷却を止めると共に、冷却ファンＦＭを作動して収納室１８の空気を冷却室２２に循環させることで、冷却器２２に付着した霜を融かすようになっている。ここで、冷却ダクト２４は、冷却室２０を画成する部材としてだけでなく、除霜運転において冷却器２２等から流下する水(以下、除霜水という)を回収するドレンパンとしても兼用される。そして、貯蔵庫１０は、冷却ダクト２４で回収した除霜水を、該冷却ダクト２４の後部に設けられた排水部３０を介して、内部空間の後面を画成する後壁１２ｂに設けられた排水路３２に排出するようになっている(図５参照)。排水路３２は、後壁１２ｂを構成する外板と内板との間に配設された排水パイプからなり、後壁１２ｂから収納室１８に臨んで開口する排水口３２ａから後側に向かうにつれて下方傾斜するエルボ部３２ｂに、上下方向に延在する直管部３２ｃが連なっている。排水路３２は、排水口３２ａがフロントパネル１４の下縁に設けられた上レール１５よりも上側に位置するように配置され(図５参照)、扉１７のガラスを介して真正面から排水口３２ａが視認し難くなっている。なお、排水口３２ａは、内部空間の左右方向中央部に配置され、箱体開口部１２ａの左右方向中央部に延在する棚柱２１の後側に位置している。
【００１５】
図３に示すように、貯蔵庫１０では、冷却器２２、ファンダクト２８および冷却ダクト２４の夫々が、箱体１２の上壁１２ｃによって画成される内部空間の天井面３４に対してネジ止めされて、箱体１２に固定される。なお、貯蔵庫１０では、箱体１２の前側に設けられた箱体開口部１２ａを介して、冷却器２２、ファンダクト２８および冷却ダクト２４の着脱が行われる。貯蔵庫１０には、冷却器２２を天井面３４にネジ止め固定して該天井面３４から吊り下げると共に、冷却ファンＦＭが設置されたファンダクト２８を、冷却器２２の前側(冷却室２０での空気流通方向前側)に配置して天井面３４にネジ止め固定することで、ファンダクト２８によって冷却ファンＦＭの空気送出方向下流から冷却器２２に至る空気流通路が画成される。そして、貯蔵庫１０には、冷却器２２およびファンダクト２８を下側から覆うように、冷却ダクト２４を天井面３４にネジ止め固定することで、流入口２５から流出口２６に連通する冷却室２０が画成される。流入口２５は、冷却ダクト２４の収納室１８側に取り付けられた網目状のファンカバー(カバー)３６によって覆われている。ここで、貯蔵庫１０は、冷却器２２、ファンダクト２８および冷却ダクト２４の夫々についてネジを止めたり外したりする際に、冷却器２２、ファンダクト２８および冷却ダクト２４の夫々を、天井面３４に取り付けられた支持部材３８によって支持可能に構成されている(図２および図３参照)。実施例では、左右に離間配置された一対の支持部材３８,３８によって、冷却器２２、ファンダクト２８および冷却ダクト２４が支持される。なお、実施例では、一対の支持部材３８,３８が、左右対称な形状であり、冷却器２２,ファンダクト２８および冷却ダクト２４は、各支持部材３８に対応して該支持部材３８に支持される部分を有している。
【００１６】
(支持部材)
図１１に示すように、支持部材３８は、水平に板面が延在する支持固定部３９と、支持固定部３９の後部に形成され、冷却器２２を支持可能な保持受止部４０と、支持固定部３９の前部に形成され、ファンダクト２８を支持可能な設置受止部４１と、支持固定部３９の外側部に形成され、冷却ダクト２４を支持可能なダクト受止部４２とを備える。実施例の支持部材３８は、板金を折り曲げて、保持受止部４０、設置受止部４１およびダクト受止部４２が支持固定部３９と一体形成される。また、支持部材３８には、支持固定部３９の内側部に上方へ突出する差込片４３が形成されている。支持部材３８は、差込片４３を天井面３４に開設された差込孔(図示せず)に挿入して前後左右に位置決めしたもとで、支持固定部３９を天井面３４に突き合わせ、該支持固定部３９に設けられたネジ通孔Ｓ１を介して、ネジを支持固定部３９の下側から天井面３４に設けられたネジ孔Ｈ１に締結して、天井面３４に設置される(図３および図７参照)。
【００１７】
図１１に示すように、保持受止部４０は、支持固定部３９の後端縁から該支持固定部３９の下側に折り曲げた板片によって構成され、前側および左右方向が開放した支持空間を形成している。また、保持受止部４０は、支持固定部３９と該支持固定部３９の下側に延在する板片との間が、冷却器２２の後述する保持部材４６の保持固定部４８の板厚よりも僅かに大きい程度に設定される。保持受止部４０は、支持固定部３９との間に、冷却器２２において支持部材３８に支持される保持掛止部としても機能する前記保持固定部４８の後部を前側から挿脱可能になっており、後部が挿入された保持固定部４８を天井面３４に沿わせて支持するよう構成される(図３参照)。なお、保持受止部４０は、前端部が後側から前端に向かうにつれて下方傾斜するよう形成され、保持固定部４８を前側から挿入し易くなっている。
【００１８】
図１１に示すように、設置受止部４１は、支持固定部３９の前縁から前方へ延出する板片であり、支持固定部３９の上面よりもファンダクト２８の後述する設置掛止部５４の板厚程度低くなるように、段状に折り曲げられている。設置受止部４１は、支持固定部３９を天井面３４に取り付けた際に、天井面３４に相対して延在し、該天井面３４との間に前側および左右に開放した支持空間を形成する。設置受止部４１は、該設置受止部４１と天井面３４との間に、ファンダクト２８の設置掛止部５４を前側から挿脱可能になっており、設置掛止部５４をファンダクト２８の上端部(後述する設置固定部)が天井面３４に沿うように支持する構成とされる(図３参照)。ここで、設置受止部４１は、前端部が後側から前端に向かうにつれて下方傾斜するよう形成され、ファンダクト２８の設置掛止部５４を前側から挿入し易くなっている。
【００１９】
図１１に示すように、ダクト受止部４２は、支持固定部３９の外側縁から下垂するように折り曲げ形成された側板片４２ａと、この側板片４２ａの下端から内側方へ延出するように折り曲げ形成された下板片４２ｂとから鉤状に構成され、支持固定部３９の外側縁に前後に離間して２箇所に設けられている。また、ダクト受止部４２は、支持固定部３９と該支持固定部３９の下側に延在する下板片４２ｂとの間が、冷却ダクト２４の後述するダクト掛止部６４の上下寸法よりも僅かに大きい程度に設定される。そして、ダクト受止部４２は、前後および内側方に開放した支持空間を形成している。ダクト受止部４２は、支持固定部３９と下板片４２ｂとの間に、冷却ダクト２４のダクト掛止部６４を前側から挿脱可能になっており、ダクト掛止部６４を冷却ダクト２４の上端部(後述するダクト固定部)が天井面３４に沿うように支持する構成とされる(図３参照)。
【００２０】
(冷却器)
図７に示すように、冷却器２２は、熱伝導性に優れた金属パイプからなり、冷媒が流通する熱交換管４４と、左右方向に直線部が延在するように蛇行状に折り曲げられた熱交換管４４の各側部を保持する一対の保持部材４６,４６とから基本的に構成される。保持部材４６は、板面が前後方向および上下方向に延在する保持板部４７と、この保持板部４７の上端から外側方へ延出するように折り曲がった保持固定部４８とを備えた板状の部材である。冷却器２２では、保持板部４７を互いに対面させて左右方向に離間して配置された一対の保持部材４６,４６によって、両保持板部４７に挿通した熱交換管４４の直線部が互いに間をあけた状態で支持される。そして、冷却器２２は、冷却室２０での空気流通方向(前から後)と交差するように延在する熱交換管４４の直線部に、冷却ファンＦＭにより冷却室２０を流通する空気が接触するようになっている。なお、冷却器２２は、保持板部４７の外側で熱交換管４４が湾曲している。
【００２１】
前記冷却器２２は、左右の保持部材４６,４６における保持固定部４８,４８の後部を対応する側の支持部材３８の保持受止部４０に前側から挿脱可能であり、保持固定部４８における保持受止部４０に支持される後部よりも前側にネジ通孔Ｓ２が設けられている。冷却器２２は、保持固定部４８の後部を保持受止部４０に夫々挿入することで、左右の保持受止部４０,４０によって後方への移動が規制されてある程度位置決めされると共に、保持固定部４８,４８が天井面３４に沿う水平な取り付け姿勢となるように支持される(図３参照)。冷却器２２は、保持固定部４８に上下に貫通形成されたネジ通孔Ｓ２およびこのネジ通孔Ｓ２に整合した支持部材３８における支持固定部３９のネジ通孔Ｓ２を介して、ネジを保持固定部４８の下側から天井面３４に設けられたネジ孔Ｈ２に締結して、天井面３４から冷却室２０に吊り下がった状態で箱体１２に設置される(図７参照)。実施例では、天井面３４へのネジ止め部分となる保持固定部４８が、支持部材３８に支持される保持掛止部を兼ねている。このように、冷却器２２は、保持固定部４８の後部を支持部材３８の保持受止部４０で支持した状態で、天井面３４に対してネジを着脱可能に構成される。
【００２２】
(ファンダクト)
図１２に示すように、ファンダクト２８は、底板部５０と、この底板部５０の前縁から立ち上がる前板部５１と、底板部５０の左右の側縁から夫々立ち上がる側板部５２とから、上方および後方に開放した箱状に構成される。なお、実施例のファンダクト２８は、金属製である。また、ファンダクト２８は、前板部５１の上端に前方へ延出するように折り曲げ形成された設置固定部５３と、各側板部５２の上端に外側方へ延出するように折り曲げ形成された設置掛止部５４とを備え、設置固定部５３に上下に貫通するネジ通孔Ｓ３が形成されている。なお、実施例の設置掛止部５４には、前記設置受止部４１に支持される後縁部よりも前側の部位に、上下に貫通するネジ通孔Ｓ３が形成され、設置固定部としても兼用される。すなわち、設置掛止部５４は、前記設置受止部４１の前後寸法よりも前後に長く形成される。底板部５０は、前から後に向かうにつれて下方傾斜するよう形成されたファン設置部５０ａと、このファン設置部５０ａの後縁に連ねて形成され、冷却器２２における保持部材４６の保持板部４７底面に沿って、略水平に延在する案内部５０ｂとを備える。ファン設置部５０ａには、左右に離間して一対の取付口５５,５５が開設され(図８および図９参照)、各取付口５５に臨ませて冷却ファンＦＭが、該ファン設置部５０ａの上側から設置される。そして、ファンダクト２８は、流入口２５に合わせて冷却ファンＦＭを支持している。
【００２３】
前記ファンダクト２８は、左右の側板部５２,５２の間隔が、冷却器２２における左右の保持板部４７,４７間よりも僅かに大きく(図８(ｂ)参照)、設置固定部５３と底板部５０の案内部５０ｂとの間隔が保持部材４６の上下寸法よりも僅かに大きく形成される(図３参照)。また、ファンダクト２８は、左右の側板部５２,５２の後縁部が保持板部４７の外側面前縁部に重なると共に、案内部５０ｂの少なくとも後縁部が保持板部４７の底面前縁部に重なるように形成され、側板部５２よりも案内部５０ｂが後方へ延出している。なお、ファンダクト２８では、設置掛止部５４の後縁よりも案内部５０ｂおよび側板部５２が後方に延在している。そして、ファンダクト２８は、冷却器２２における左右の保持板部４７,４７を左右の側板部５２,５２間に挟むと共に、保持板部４７の底面に沿って案内部５０ｂが延在するよう配設され、冷却器２２の前側に空気流通路を画成するよう構成される。なお、ファンダクト２８の前部中央に設けられた凹部には、棚柱２１および冷媒管２３が収容される。
【００２４】
前記ファンダクト２８は、左右の設置掛止部５４,５４の後部を、対応する側の支持部材３８の設置受止部４１の上側に前側から挿脱可能になっている。ファンダクト２８は、設置掛止部５４を設置受止部４１の上側に差し込んだ際に、支持部材３８に支持されたもとで先に取り付けられた冷却器２２の保持板部４７の下側に、底板部５０の案内部５０ｂも差し込まれ、設置掛止部５４と案内部５０ｂによって保持部材４６を上下に挟んでいる(図３参照)。また、ファンダクト２８は、設置掛止部５４を設置受止部４１の上側に差し込んだ際に、冷却器２２における左右の保持板部４７,４７を左右の側板部５２,５２によって挟んでいる(図８参照)。更に、ファンダクト２８は、設置掛止部５４を設置受止部４１の上側に夫々挿入するのに伴い、設置固定部５３および設置掛止部５４が天井面３４に沿う水平な取り付け姿勢となるように支持される。そして、ファンダクト２８は、設置固定部５３および設置掛止部５４に形成されたネジ通孔Ｓ３を介して、ネジを下側から天井面３４に設けられたネジ孔Ｈ３(図７(ｂ)参照)に締結して、天井面３４から冷却室２０に吊り下がった状態で箱体１２に設置される。ファンダクト２８は、設置掛止部５４を設置受止部４１の上側に挿入することで、左右の設置受止部４１によって後方への移動が規制されて前後方向にある程度位置決めされると共に、左右の保持板部４７,４７を左右の側板部５２,５２で挟むことで、左右の保持板部４７,４７によって左右方向の移動が規制されて左右方向にある程度位置決めされる。このように、ファンダクト２８は、設置掛止部５４を支持部材３８の設置受止部４１で支持した状態で、天井面３４に対してネジを着脱可能に構成される。
【００２５】
図４に示すように、前記ファンダクト２８は、冷却器２２の前部下側に左右に亘って延在する案内部５０ｂで、除霜運転において冷却器２２の前部から流下する除霜水を一時的に受け、この除霜水を案内部５０ｂの後縁から冷却ダクト２４に流下させるよう構成される。すなわち、貯蔵庫１０は、冷却器２２の少なくとも前部から冷却ダクト２４に除霜水が直接流下しないように構成され、冷却器２２の前部から流下する除霜水をファンダクト２８の案内部５０ｂで受けて、除霜水を該案内部５０ｂから冷却ダクト２４において排水部３０に近い側に流下させるようになっている。なお、ファンダクト２８の案内部５０ｂは、温度検知手段ＴＨによって間接的に温度検知される部位となるので、熱伝導性のよい金属等で構成するのが望ましい。
【００２６】
(冷却ダクト)
図１３〜図１５に示すように、冷却ダクト２４は、底壁部５８と、この底壁部５８の前縁から立ち上がる前壁部５９と、底壁部５８の左右の側縁から夫々立ち上がる側壁部(壁部)６０とから、上方および後方に開放した箱状に構成される。なお、実施例の冷却ダクト２４は、合成樹脂の成形品が用いられる。冷却ダクト２４は、左右の側壁部６０,６０が底壁部５８の後縁よりも後方へ延出しており、底壁部５８の後縁に側壁部６０よりも低い後壁部６１が立ち上げ形成されている。冷却ダクト２４は、天井面３４に取り付けた際に、後壁部６１と天井面３４および後壁１２ｂとの間に隙間があくように構成されて、この隙間が前記流出口２６となっている。底壁部５８は、全体として前から後に向かうにつれて下方傾斜するように形成されており、前記流入口２５が開設された開口形成部５８ａと、この開口形成部５８ａよりも傾斜角度がなだらかに形成されて、冷却器２２の下側に延在する回収部５８ｂとを備える。なお、開口形成部５８ａには、左右に離間して一対の流入口２５,２５が開設される。冷却ダクト２４には、底壁部５８の傾斜下端となる後縁左右方向中央に、排水部３０が後方へ延出するように形成され、底壁部５８の傾斜に案内された除霜水が排水部３０を介して箱体１２の排水路３２に排出される。排水部３０は、側壁部６０の後縁よりも後方へ延出するように形成されて、この延出部分が後壁１２ｂに開口する排水口３２ａを介して排水路３２のエルボ部３２ｂに挿入される(図５参照)。また、冷却ダクト２４は、底壁部５８の後縁(後壁部６１)が各側壁部６０に連なる外側縁から排水部３０(左右方向中央)へ向かうにつれて後方へ偏倚するように延在している(図１３参照)。
【００２７】
前記冷却ダクト２４には、前壁部５９の上端に水平方向に延在するダクト固定部６３が形成され、このダクト固定部６３に上下に貫通するネジ通孔Ｓ４が形成される(図１３参照)。ここで、ダクト固定部６３は、前壁部５９よりも後方に延在するように形成される。冷却ダクト２４は、両側壁部６０,６０の上端部に、外側方へ突出するよう形成されたダクト掛止部６４を備える。ダクト掛止部６４は、両側壁部６０,６０の左右方向に対向する位置に、前後方向に離間して各側壁部６０に２箇所設けられる。実施例のダクト掛止部６４は、側壁部６０の一部を外側方へ膨出するように成形した箱状部分であり、左右に対向配置された対をなすダクト掛止部６４,６４の外側面間の間隔が、左右に対向配置された対をなすダクト受止部４２,４２の側板片４２ａ,４２ａ間の間隔よりも僅かに小さくなるよう設定されている(図６参照)。また、ダクト掛止部６４は、その上下寸法が、ダクト受止部４２における支持固定部３９と下板片４２ｂとの間隔よりも僅かに小さくなるよう設定されている。更に、各ダクト掛止部６４は、下側後縁が面取りされており、ダクト受止部４２に前側から差し込み易くなっている。なお、冷却ダクト２４の前部中央に設けられた凹部には、棚柱２１および冷媒管２３が収容される。
【００２８】
前記冷却ダクト２４は、左右のダクト掛止部６４,６４を、対応する側の支持部材３８のダクト受止部４２に夫々前側から挿脱可能になっている。冷却ダクト２４は、ダクト掛止部６４をダクト受止部４２に夫々挿入することで、ダクト固定部６３が天井面３４に沿う水平な取り付け姿勢となるように支持される(図３参照)。また、冷却ダクト２４は、左右のダクト受止部４２,４２の間に左右のダクト掛止部６４,６４が挟まれて、左右方向に移動規制されて左右方向にある程度位置決めされると共に、側壁部６０の後縁が後壁１２ｂに当たることで後方への移動が規制されて、ダクト受止部４２によるダクト掛止部６４の支持状態が保たれる。そして、冷却ダクト２４は、ダクト固定部６３に形成されたネジ通孔Ｓ４を介して、ネジを下側から天井面３４に設けられたネジ孔Ｈ４(図７(ｂ)および図８(ｂ)参照)に締結して、両支持部材３８,３８、冷却器２２およびファンダクト２８を覆って天井面３４から内部空間に吊り下がった状態で箱体１２に設置される。このように、冷却ダクト２４は、ダクト掛止部６４を支持部材３８のダクト受止部４２で支持した状態で、天井面３４に対してネジを着脱可能に構成される。冷却ダクト２４は、前壁部５９と側壁部６０の後端との間の前後寸法が、箱体１２の内部空間の前後寸法よりも小さく設定されて、冷却ダクト２４と内部空間との間にできる前後の僅かな余裕空間Ｙ(図４および図５参照)を利用して、側壁部６０の後端よりも後方へ延出する排水部３０を排水路３２の排水口３２ａに差し込んでいる。ここで、冷却ダクト２４は、該冷却ダクト２４を前側の余裕空間Ｙにずらした状態で、各ダクト掛止部６４が対応のダクト受止部４２の前側に外れるように構成されており、フロントパネル１４を箱体１２に取り付けた後であっても、扉１７,１７を開放した箱体開口部１２ａを介して冷却ダクト２４を着脱可能になっている。
【００２９】
図４に示すように、前記冷却ダクト２４は、底壁部５８の開口形成部５８ａが、該開口形成部５８ａに沿うように形成されたファンダクト２８の底板部５０におけるファン設置部５０ａの下方に離間して延在するよう構成され、ファン設置部５０ａに支持された冷却ファンＦＭが流入口５６の上側に整合している。また、冷却ダクト２４は、回収部５８ｂが冷却器２２の底から離間しており、回収部５８ｂが、冷却器２２の左右全体に亘って延在すると共に冷却器２２の前側から該冷却器２２の後側までに亘って延在している。冷却ダクト２４には、流入口２５の全周を囲って冷却室２０側に突出する案内壁部６５が開口形成部５８ａの上面に形成され、この案内壁部６５がファンダクト２８の取付口５５からファン設置部５０ａの下方に突き出た冷却ファンＦＭおよび取付口５５を囲んでファン設置部５０ａの下面に当接するよう構成される。案内壁部６５の上端は、ファンダクト２８におけるファン設置部５０ａの下面に全周に亘って当接し、冷却室２０には、開口形成部５８ａとファン設置部５０ａとの隙間に、ファンダクト２８で画成される空気流通路に流入口２５から繋がる流路が案内壁部６５によって画成される。
【００３０】
(ファンカバー)
図４に示すように、流入口２５は、冷却ダクト２４の開口形成部５８ａに下側から取り付けられたファンカバー３６によって覆われている。図１６に示すように、ファンカバー３６は、環状の枠部６７と、この枠部６７の内側に形成され、空気の流通を許容する網状部６８とを備えている。図９に示すように、ファンカバー３６は、枠部６７の内側部に鉤状に形成された一対の爪部６９,６９を、開口形成部５８ａにおける流入口２５近傍に形成された係止孔６２に夫々引っ掛け、枠部６７の外側部に形成されたネジ通孔Ｓ５および開口形成部５８ａに形成されたボス部６６を介して、ファン設置部５０ａに設けられたネジ孔Ｓ５(図８参照)にネジＮを締結して取り付けられる。ボス部６６には、ネジＮを挿通可能な貫通孔が設けられる。ボス部６６は、前記案内壁部６５の外側方に隣接して、冷却室２０側に立ち上がるように形成され、案内壁部６５がファン設置部５０ａ下面に当接した際に該ボス部６６の上端とファン設置部５０ａとの間に隙間(締め込み隙間という)ができる寸法で設定されている(図９参照)。すなわち、案内壁部６５は、開口形成部５８ａからの立ち上がり高さが、ファン設置部５０ａと開口形成部５８ａとの離間間隔と同一に設定されているのに対し、ボス部６６は、開口形成部５８ａからの立ち上がり高さが、案内壁部６５よりも低く、ファン設置部５０ａと開口形成部５８ａとの離間間隔より短く設定されている。ファンカバー３６は、ネジ通孔Ｓ５およびボス部６６を介して前記締め込み隙間を縮めるようにファン設置部５０ａのネジ孔Ｈ５にネジ止めされ、これにより案内壁部６５の上端がファン設置部５０ａに対して密着される。
【００３１】
(排水ガイド)
図４および図１４に示すように、冷却ダクト２４は、除霜水を受ける底壁部５８の回収部５８ｂが、排水部３０が設けられた後縁(第１の端縁)に向けて前縁(排水部３０が設けられた第１の端縁と対向する第２の端縁)から下方傾斜するよう形成される。回収部５８ｂには、該回収部５８ｂの傾斜による除霜水の誘導方向(前から後)と交差するように延在する排水ガイド７０が設けられている(図１３参照)。排水ガイド７０は、回収部５８ｂの外側縁(第１の端縁および第２の端縁と交差する第３の端縁)側から、後縁の左右方向中央部に設けられた排水部３０側に向かうにつれて後縁側に寄るように形成されている。すなわち、前記誘導方向と交差する排水ガイド７０は、排水部３０から遠い位置から該排水部３０に近づくにつれて回収部５８ｂの傾斜下端側に偏倚するように形成される。排水ガイド７０は、回収部５８ｂから上方に突出するように一体形成され、該排水ガイド７０は、その外側部が回収部５８ｂの外側縁に立ち上がる側壁部６０の内側に連なると共に、該排水ガイド７０における排水部３０側の内端部が後縁に立ち上がる後壁部６１から離間するように配置される。また、排水ガイド７０は、排水部３０の導入口から前側へ延長した延長ラインを越えて延在せず、その内端部が導入口の前側または前側近傍に配置される。実施例の冷却ダクト２４には、排水部３０を挟んで左右対称な関係で一対の排水ガイド７０,７０が回収部５８ｂに設けられる。実施例では、右側の排水ガイド７０の内端部が、排水部３０における導入口の右側縁の延長ライン上に配置され、左側の排水ガイド７０の内端部が、該導入口の左側縁の延長ライン上に配置され、両排水ガイド７０,７０の内端部間が排水部３０の導入口と略同一間隔で離間しており、排水部３０における導入口の前側に排水ガイド７０が延在しないようになっている。
【００３２】
図５に示すように、排水ガイド７０は、その外端部が、ファンダクト２８における案内部５０ｂの後端よりも後側に配置され、ファンダクト２８から流下する除霜水を回収部５８ｂにおける排水ガイド７０よりも前側(回収部５８ｂの傾斜上端側)で回収するように構成される。排水ガイド７０は、冷却器２２の底(実施例では保持部材４６における保持板部４７の下端が対応)と回収部５８ｂとの間の隙間を塞ぐ高さで形成される。すなわち、外端部から内端部に向かうにつれて傾斜下端側に延在する排水ガイド７０は、前から後に向かって下方傾斜して冷却器２２の底から離間する回収部５８ｂに合わせて、外端部から内端部に向かうにつれて回収部５８ｂからの突出高さが大きくなるように形成される。そして、排水ガイド７０は、上端の高さ位置が全体に亘って同じまたは略同じになっている。
【００３３】
(排水部)
図５および図１３に示すように、排水部３０は、上方が開放した凹溝状の排水流通部７２と、この排水流通部７２の下面に形成された規制片７４とから構成される。排水流通部７２は、その底面が回収部５８ｂよりも一段下がるように形成され、排水口３２ａを介して排水路３２のエルボ部３２ｂに挿入される後端部の略半円状の縦断面寸法が、排水口３２ａおよびエルボ部３２ｂの直径(開口断面)よりも小さく設定される。排水流通部７２は、両側縁の後端上部が面取りされており、前から後に向かうにつれて上下寸法が小さくなる先細り形状になっている(図５参照)。規制片７４は、排水流通部７２における排水路３２に挿入される挿入部位に設けられて、排水流通部７２の下面から下方へ延出する板状片であり、排水流通部７２の挿入部位をエルボ部３２ｂの内底面から離間させるよう機能する。規制片７４は、排水流通部７２の前記挿入部位において、該排水流通部７２の後端よりも前側に離間して配置され、実施例では、該排水流通部７２の後端から前記余裕空間Ｙの前後幅と略同一の範囲に配置される。実施例の規制片７４は、排水流通部７２の前述した面取り部分前端の下方に略対応する部位に、左右方向に板面が延在するように設けられ、排水流通部７２の左右幅よりも狭い幅で形成されている(図１０参照)。また、排水部３０は、排水流通部７２の上端から規制片７４の下端までの上下寸法が、排水口３２ａおよびエルボ部３２ｂの直径よりも小さくなるように設定される(図１０参照)。すなわち、排水部３０は、排水路３２との寸法差によって、排水路３２に挿入した部分のある程度の位置ズレが許容される一方、規制片７４とエルボ部３２ｂの内底面との当接により、排水流通部７２の流出端がエルボ部３２ｂの内底面から離間するように位置決めされる。なお、エルボ部３２ｂと排水流通部７２とは、略同じ方向に延在している。
【００３４】
(温度検知手段)
図３、図７および図８に示すように、温度検知手段ＴＨは、架台部７６に支持されて、冷却器２２の下側に配設されている。なお、実施例では、温度検知手段ＴＨとしてサーミスタが用いられている。温度検知手段ＴＨは、冷却器２２における熱交換管４４の直線部の下側で、該直線部から離間し、冷却器２２に対して一側方(実施例では右側方)および後側に偏倚した位置に設けられる。また、温度検知手段ＴＨは、冷却器２２の前部下側に延在するファンダクト２８の底板部５０よりも後側に配置される。温度検知手段ＴＨは、架台部７６の下面に支持されて、冷却器２２から流下する除霜水が直接当たらないようになっている。架台部７６は、金属等の熱伝導性のよい材料から構成された板状部材であり、前端部がファンダクト２８における底板部５０の案内部５０ｂに接続されて、案内部５０ｂの後縁から後方へ延出している。架台部７６は、保持片７６ａによって温度検知手段ＴＨが下面に接するように支持し、架台部７６を介して案内部５０ｂの温度を間接的に検知し得るようになっている。そして、貯蔵庫１０では、冷却器２２に付着した霜を除去する除霜運転の完了を、温度検知手段ＴＨで検知した温度によって判定している。
【００３５】
〔実施例の作用〕
次に、実施例に係る貯蔵庫１０の作用について説明する。貯蔵庫１０は、冷却器２２、ファンダクト２８および冷却ダクト２４を着脱する際に、これらの部材２２,２８,２４を支持部材３８で支持した状態でネジを取り付けまたは取り外しすることができる。具体的には、箱体１２における内部空間の天井面３４に、一対の支持部材３８,３８をネジ止めする。ここで、各支持部材３８は、差込片４３を天井面３４の差込孔に挿入することで、位置決めした状態でネジ止めすることができ、天井面３４に対して簡単に精度よく取り付けることができる。冷却器２２における左右両側の上端部に設けられた保持固定部４８,４８を、左右の支持部材３８,３８において前側に開放した支持空間を画成している対応の保持受止部４０,４０に前側から挿入することで、保持受止部４０,４０によって冷却器２２の保持固定部４８,４８を天井面３４に沿わせた状態で支持することができる。そして、冷却器２２は、保持固定部４８において保持受止部４０より前側で、支持部材３８に邪魔されない部位に設けられたネジ通孔Ｓ２を介して、天井面３４のネジ孔Ｈ２にネジ止めされる。このように、冷却器２２は、支持部材３８の保持受止部４０に荷重を預けた状態で、ネジの着脱作業を行うことができるので、箱体１２への着脱を簡単に行うことができる。また、冷却器２２は、支持部材３８の保持受止部４０によって位置決めされるので、ネジ通孔Ｓ２を対応のネジ孔Ｈ２に合わせ易く、簡単に精度よく取り付けることができる。
【００３６】
次に、ファンダクト２８における左右両側の上端部に設けられた設置掛止部５４,５４を、左右の支持部材３８,３８において前側に開放した支持空間を画成している対応の設置受止部４１,４１の上側に前側から挿入することで、設置受止部４１,４１によってファンダクト２８の設置固定部５３および設置掛止部５４を天井面３４に沿わせた状態で支持することができる。そして、ファンダクト２８は、設置受止部４１より前側で、支持部材３８に邪魔されない部位に配置されるネジ通孔Ｓ３を介して、天井面３４のネジ孔Ｈ３にネジ止めされる。このように、ファンダクト２８は、支持部材３８の設置受止部４１に荷重を預けた状態で、ネジの着脱作業を行うことができるので、箱体１２への着脱を簡単に行うことができる。また、ファンダクト２８は、支持部材３８の設置受止部４１によって位置決めされるので、ネジ通孔Ｓ３を対応のネジ孔Ｈ３に合わせ易く、簡単に精度よく取り付けることができる。しかも、ファンダクト２８は、該ファンダクト２８における左右の側板部５２,５２間に、先に取り付けられた冷却器２２における左右の保持部材４６,４６が嵌り込んで、冷却器２２に対しても位置決めされるので、冷却器２２の前側に該冷却器２２に向けて適切に空気を案内し得る空気流通路を画成することができる。
【００３７】
次に、冷却ダクト２４における左右両側の上端部に設けられたダクト掛止部６４,６４を、左右の支持部材３８,３８において前側に開放した支持空間を画成している対応のダクト受止部４２,４２に前側から挿入することで、ダクト受止部４２,４２によって冷却ダクト２４のダクト固定部６３を天井面３４に沿わせた状態で支持することができる。そして、冷却ダクト２４は、ダクト受止部４２より前側で、支持部材３８に邪魔されない部位に配置されるネジ通孔Ｓ４を介して、天井面３４のネジ孔Ｈ４にネジ止めされる。このように、冷却ダクト２４は、支持部材３８のダクト受止部４２に荷重を預けた状態で、ネジの着脱作業を行うことができるので、箱体１２への着脱を簡単に行うことができる。また、冷却ダクト２４は、支持部材３８のダクト受止部４２によって位置決めされるので、ネジ通孔Ｓ４を対応のネジ孔Ｈ４に合わせ易く、簡単に精度よく取り付けることができる。しかも、冷却ダクト２４は、先に取り付けられたファンダクト２８の底板部５０におけるファン設置部５０ａに、底壁部５８の開口形成部５８ａに設けられた案内壁部６５が当接することで、ファンダクト２８に対して位置決めされると共に、該底壁部５８の回収部５８ｂに設けられた排水ガイド７０が冷却器２２の保持部材４６,４６に当接することで、冷却器２２に対して位置決めされる。すなわち、冷却ダクト２４は、冷却器２２およびファンダクト２８に対して位置ズレなく取り付けることができる。
【００３８】
前記貯蔵庫１０は、冷却器２２、ファンダクト２８および冷却ダクト２４における支持部材３８への挿脱と、冷却器２２、ファンダクト２８および冷却ダクト２４におけるネジの着脱を前側から行うことができるので、箱体１２の前側の箱体開口部１２ａを介して冷却器２２、ファンダクト２８および冷却ダクト２４の着脱を行うことができる。冷却器２２、ファンダクト２８および冷却ダクト２４は、箱体開口部１２ａに近い手前側でネジ止めし、ネジ止め部分よりも箱体開口部１２ａから遠い奥側で支持部材３８で支持することで、奥側のネジ止め部分を省略することができる。すなわち、奥側のネジを止めるために、冷却器２２、ファンダクト２８および冷却ダクト２４の幅寸法を小さく設定する必要がなく、冷却器２２、ファンダクト２８および冷却ダクト２４の設計の自由度が高くなり、例えばこれらの部材２２,２８,２４を複数の機種で共通化することも可能になる。また、貯蔵庫１０は、共通の支持部材３８で冷却器２２、ファンダクト２８および冷却ダクト２４を支持しているので、支持部材３８のコストを抑えることができる。
【００３９】
前記貯蔵庫１０では、冷却ダクト２４において流入口２５の全周を囲んで突出形成された案内壁部６５が、ファンダクト２８で画成される空気流通路に連通する取付口５５を囲んでファンダクト２８に当接している。ファンダクト２８と冷却ダクト２４とは、冷却ファンＦＭの一部を間に収容し得るように離間して配置されているが、前記案内壁部６５によって流入口２５から取付口５５に通じる画成された流路が形成されているので、冷却ファンＦＭの作動により流入口２５から取り込んだ空気が、冷却ダクト２４とファンダクト２８の隙間から冷却ダクト２４の底壁部５８に沿って後側に逃げて冷却器２２と熱交換しないことを防止できる。すなわち、冷却ファンＦＭの作動により流入口２５から取り込んだ空気を、ファンダクト２８で画成されて冷却器２２に空気を誘導する空気流通路に漏れなく案内することができるので、冷却器２２による空気の冷却効率を向上させることができる。
【００４０】
前記流入口２５に取り付けられるファンカバー３６は、該ファンカバー３６のネジ通孔Ｓ５および冷却ダクト２４に突設されたボス部６６を介してファンダクト２８のネジ孔Ｈ５にネジ止めされる。ここで、冷却ダクト２４において冷却室２０側に突出する前記案内壁部６５に隣接して形成されたボス部６６は、該案内壁部６５よりも僅かに突出高さが低く設定されているので、ネジ止めした際に、ファンダクト２８側に冷却ダクト２４を引き付けることができ、これにより案内壁部６５をファンダクト２８に密着させることができる。従って、貯蔵庫１０は、冷却ダクト２４の流入口２５とファンダクト２８の取付口５５との間で空気が逃げることをより確実に防止できる。貯蔵庫１０は、冷却ダクト２４の案内壁部６５とファンダクト２８が密着しているので、冷却ファンＦＭの作動に伴って、案内壁部６５とファンダクト２８との接触による騒音の発生や冷却ダクト２４の振動を防止することができる。ファンカバー３６は、冷却ダクト２４の前側に配設されているので、箱体開口部１２ａを介して前側からネジＮを簡単に着脱することができ、案内壁部６５で画成される流路を簡単に掃除することができる。
【００４１】
前記ファンダクト２８は、底板部５０の案内部５０ｂが冷却器２２の下側まで延びており、冷却器２２の底に沿って延在する案内部５０ｂによって、冷却ファンＦＭで取り込んだ空気を冷却器２２に案内し、冷却器２２で空気を効率よく冷却させることができる。貯蔵庫１０は、除霜運転において冷却器２２の前部から流下する除霜水をファンダクト２８の案内部５０ｂで一旦受けている。案内部５０ｂは、除霜運転において冷却器２２から流下した霜混じりの除霜水が完全に融けるまでは、温度が上昇しない。例えば、冷却器２２の全体から冷却ダクト２４の回収部５８ｂに除霜水が直接流下する構成であると、回収部５８ｂから離れた温度検知手段ＴＨによって霜が完全に融けているか否かが判らず、霜が残っているのにかかわらず除霜運転が終了してしまうことがある。ここで、実施例の貯蔵庫１０は、除霜運転において、温度検知手段ＴＨが案内部５０ｂの温度を架台部７６を介して間接的に検知しているので、案内部５０ｂに滞留した霜混じりの除霜水がある状態では温度が低いので除霜運転の完了温度を検知せず、霜が完全に融けて案内部５０ｂの温度が上昇することで除霜運転の完了温度を検知することになる。すなわち、実施例の貯蔵庫１０によれば、精度よく除霜の完了を判定し得る。
【００４２】
前記冷却ダクト２４では、除霜運転において冷却器２２から回収部５８ｂにおける排水ガイド７０,７０の上流側に流下した除霜水が、排水ガイド７０,７０で一旦受け止められ、回収部５８ｂの傾斜に誘導された除霜水が、外側部から排水部３０側に向かうにつれて回収部５８ｂの傾斜下端側に寄るように延在する排水ガイド７０,７０に沿って案内される。すなわち、冷却ダクト２４において、排水ガイド７０によって除霜水を前から後だけでなく、前から後側への流下につれて排水部３０側へ向けた左右方向に移動させることができ、回収部５８ｂの傾斜下端に設けられた排水部３０に除霜水を集めることができ、排水部３０に対して除霜水をスムーズに誘導することができる。また、排水ガイド７０における排水部３０側の内端部が、回収部５８ｂの傾斜下端に延在する後壁部６１の前側に離間しているので、回収部５８ｂにおいて排水ガイド７０よりも傾斜下流側に流下した除霜水を、排水ガイド７０に邪魔されずに排水部３０から排出することができる。しかも、排水ガイド７０における排水部３０側の内端部が、排水部３０の導入口前側に配置されているので、該内端部から流下した除霜水が回収部５８ｂの傾斜に誘導されて排水部３０からスムーズに排出される。このように、ドレンパンとしても機能する実施例の冷却ダクト２４によれば、排水部３０側が下がるように左右方向に傾斜を形成しなくても、回収部５８ｂの傾斜下端に除霜水が残ることを防止できる。また、冷却ダクト２４は、回収部５８ｂを左右方向に水平に形成したり、左右方向の傾斜を緩くすることができるから、冷却ダクト２４をコンパクトにすることができる。
【００４３】
更に、排水ガイド７０は、冷却器２２の底に合わせた高さで回収部５８ｂに形成されているので、排水ガイド７０によって空気が冷却器２２と冷却ダクト２４の回収部５８ｂとの間に逃げてしまうのを防ぐことができ、空気を冷却器２２と適切に接触させて効率よく冷却することができる。なお、排水ガイド７０は、上端が冷却器２２の保持部材４６の下端に接しているだけなので、冷却器２２による回収部５８ｂの冷却を抑えることができる。
【００４４】
前記排水部３０は、排水路３２のエルボ部３２ｂに対する排水流通部７２の挿入位置がズレても、規制片７４がエルボ部３２ｂの内底面に当接して下側への移動を規制されることで、排水流通部７２の流出端をエルボ部３２ｂの内底面から離した状態を保つことができる。すなわち、排水流通部７２の流出端がエルボ部３２ｂの内底面に接触した状態になることで生じる除霜水の収納室１８側への逆流を、規制片８４による位置規制により防止することができる。
【００４５】
(変更例)
本発明は、前述の実施例の構成に限定されず、以下のようにも変更することも可能である。
(１)支持部材は２つの例を挙げたが、１つでも３つ以上であってもよい。
(２)支持部材は、冷却ダクトを少なくとも支持できればよい。すなわち、支持部材によって、冷却ダクトとファンダクトとを支持し、冷却器を支持しない構成であっても、支持部材によって、冷却ダクトと冷却器とを支持し、ファンダクトを支持しない構成であっても、支持部材によって、冷却ダクトのみを支持する構成であってもよい。
(３)支持部材に引っ掛けるための掛止部とネジ止めするための固定部とが一緒であっても、別々であってもよい。
【００４６】
(４)ファンダクトは、底板部の案内部が冷却器の前部だけでなく、該案内部が冷却器の底全体に亘って延在する構成であってもよい。案内部における冷却器の下側の延在長さが長くなれば、空気を冷却器とより接触するように案内部によって案内することができる。
【００４７】
(５)図１７に示すように、排水部３０は、規制片７４の下縁を、排水路３２におけるエルボ部３２ｂの内底面に沿って形成し、該規制片７４により排水流通部７２の下面とエルボ部３２ｂとの間を塞ぐよう構成してもよい。このように、変更例の排水部３０によれば、規制片７４によって排水流通部７２と排水路３２との間を塞ぐことができるので、排水路３２からの逆流をより適切に防止し得る。
【００４８】
(６)排水ガイドは、冷却器の底から上端が離間する構成であってもよい。
【符号の説明】
【００４９】
１２ 箱体，２２ 冷却器，２４ 冷却ダクト(ドレンパン)，３０ 排水部，
３２ 排水路，７２ 排水流通部，７４ 規制片
【図１】
2014156999.tif 000003
【図２】
2014156999.tif 000004
【図３】
2014156999.tif 000005
【図４】
2014156999.tif 000006
【図５】
2014156999.tif 000007
【図６】
2014156999.tif 000008
【図７】
2014156999.tif 000009
【図８】
2014156999.tif 000010
【図９】
2014156999.tif 000011
【図１０】
2014156999.tif 000012
【図１１】
2014156999.tif 000013
【図１２】
2014156999.tif 000014
【図１３】
2014156999.tif 000015
【図１４】
2014156999.tif 000016
【図１５】
2014156999.tif 000017
【図１６】
2014156999.tif 000018
【図１７】
2014156999.tif 000019